(57)【特許請求の範囲】
【請求項１】
打球ハンドルに設けられたタッチ端子への人体の接触を検出するタッチ入力検出回路と、前記タッチ端子に印加される静電気による高電圧の前記タッチ入力検出回路への侵入を防止する高電圧侵入防止装置とを備えたパチンコ機において、
前記高電圧侵入防止装置は、前記タッチ端子と前記タッチ入力検出回路とを接続しているタッチ信号入力ラインに接続された端子とアースラインに接続された端子とを有する第１のコネクタと、前記第１のコネクタの前記２つの端子に電気的にそれぞれ接続される２つの接続端子を有する第２のコネクタを備えた高電圧保護体とで構成され、
前記高電圧保護体は、小基板に配された互いに絶縁された２つの導電部に対して、前記第２のコネクタの２つの接続端子がそれぞれ電気的に接続されると共に、高電圧を印加されると放電可能な微小幅の絶縁部分を備えたマイクロギャップが前記２つの導電部に対してそれぞれ電気的に接続され、前記マイクロギャップの絶縁部分で前記第２のコネクタの両接続端子間が絶縁されたものであり、
前記高電圧保護体が、前記第１のコネクタ及び前記第２のコネクタを介して前記タッチ信号入力ラインと前記アースラインとの間に対して着脱交換可能に接続されていることを特徴とするパチンコ機。
【発明の詳細な説明】
【０００１】
【発明の属する技術分野】
本発明は、打球ハンドルに設けられたタッチ端子への人体の接触を検出するタッチ入力検出回路と、前記タッチ端子に印加される静電気による高電圧の前記タッチ入力検出回路への侵入を防止する高電圧侵入防止装置とを備えたパチンコ機に関するものである。
【０００２】
【従来の技術】
パチンコ機は、表面側及び裏面側を大量のパチンコ球が流下することにより静電気がたまりやすく、その静電気のためにパチンコ機に設けられている各種制御基板に高電圧が侵入し、制御回路が破損することがある。そのため、パチンコ機の制御基板には、回路の途中にヒューズを設けたり、別途保護回路を組み込んで高電圧による制御回路の破損を防止している。
【０００３】
ヒューズは安価で簡単な構成であるが、高電圧が流れる毎に交換しなければならず、ヒューズが完全に切れる反応が遅いために回路内に高電圧が印加される可能性がある。
【０００４】
また、外部部品に電気的に接続される接続部と、接続部から侵入する異常な高電圧の回路内部への侵入を阻止する異常高電圧阻止手段とを含むパチンコ遊技機の打球発射制御回路が特公平７−３８８９２号として公知である。このものによれば、異常な高電圧に起因した打球発射制御回路への悪影響を極力防止することができ、打球発射制御回路の正常な動作を維持することができる。
【０００５】
このものにおける異常高電圧阻止手段は、遊技者の体に静電気が帯電している場合に、タッチ検出板から静電気に起因した高電圧が印加されると導通して高電圧を外部に流すともに回路内部への侵入を阻止するダイオードと、交流電源に接続された接続部から侵入した異常高電圧が印加されると導通してアースに流すと共に回路内部への侵入を阻止するバリスタとにより構成されている。
【０００６】
このように、異常高電圧による制御回路の誤動作を防ぐために、別途に保護回路を設ける場合には、各基板毎に保護回路を内蔵する必要があり、その分基板が大きくなってしまい、コストも高くなる。
【０００７】
本出願人は、先に、制御基板のプリントパターン上に高電圧をアースに放電するギャップにより構成した高電圧放電保護手段を設けた電子基板を、特願平７−３１９８０１号として提案している。このものによれば、複雑な保護回路を設ける必要なく簡単な構成で高電圧が制御回路内に侵入することを防止できる。
【０００８】
しかしながら、特願平７−３１９８０１号として提案のものは、長期間使用しているうちに、放電作用によってギャップの部分が劣化が進むため、高電圧の防止機能がなくなり、基板自体を交換しなければならないという難点がある。
【０００９】
【発明が解決しようとする課題】
本発明の目的は、高電圧放電保護手段の防止機能が劣化により低下した場合に、基板自体を交換することなく、高電圧放電保護手段のみを回路基板に対して交換できるパチンコ機を提供することにある。
【００１０】
【課題を解決するための手段】
請求項１に係るパチンコ機は、打球ハンドルに設けられたタッチ端子への人体の接触を検出するタッチ入力検出回路と、前記タッチ端子に印加される静電気による高電圧の前記タッチ入力検出回路への侵入を防止する高電圧侵入防止装置とを備えたものであって、上記課題を解決するために、前記高電圧侵入防止装置は、前記タッチ端子と前記タッチ入力検出回路とを接続しているタッチ信号入力ラインに接続された端子とアースラインに接続された端子とを有する第１のコネクタと、前記第１のコネクタの前記２つの端子に電気的にそれぞれ接続される２つの接続端子を有する第２のコネクタを備えた高電圧保護体とで構成され、前記高電圧保護体は、小基板に配された互いに絶縁された２つの導電部に対して、前記第２のコネクタの２つの接続端子がそれぞれ電気的に接続されると共に、高電圧を印加されると放電可能な微小幅の絶縁部分を備えたマイクロギャップが前記２つの導電部に対してそれぞれ電気的に接続され、前記マイクロギャップの絶縁部分で前記第２のコネクタの両接続端子間が絶縁されたものであり、前記高電圧保護体が、前記第１のコネクタ及び前記第２のコネクタを介して前記タッチ信号入力ラインと前記アースラインとの間に対して着脱交換可能に接続されていることを特徴とする。
【００１１】
【発明の実施の形態】
以下、本発明の実施の形態を図面を参照して説明する。
図１は、本発明の一実施形態におけるパチンコ機の電気系統を示す回路ブロック図である。高電圧侵入防止装置１は、このうち発射装置制御基板２及び端子板３にそれぞれ配備されている。図２は、発射装置制御基板２に配備された発射装置制御回路４の要部ブロック図であり、図３は、端子板３に配備された配線を示す回路図である。
【００１２】
まず、発射装置制御回路４について説明する。図２に示すように、発射装置制御回路４は、直流電源供給回路５、タッチ入力検出回路６、発振回路７、分周回路８、パルスモータ駆動回路９及び高電圧侵入防止装置１を備えている。
【００１３】
第１コネクタＣＮ１の１番端子と２番端子との間に商用電源（ＡＣ２４Ｖ）が接続され、第２コネクタＣＮ２の１番端子と２番端子との間には、直列接続されたモータスイッチＳＷ１及び発射装置停止スイッチＳＷ２が接続されている。
【００１４】
第１コネクタＣＮ１の１番端子に接続された入力ラインと第２コネクタＣＮ２の２番端子に接続された入力ライン間には、前段にツェナーＺＮＲが接続され、後段に直流電源供給回路５が接続されている。なお、直流電源供給回路５、タッチ入力検出回路６、発振回路７、分周回路８、パルスモータ駆動回路９については、図面による詳細な説明は省略し、概略で説明する。
【００１５】
直流電源供給回路５は、ブリッジ整流器、平滑コンデンサ、３端子レギュレータによりＡＣ２４Ｖから発射装置駆動用のパルスモータ用電源Ｖｍを生成すると共に、抵抗、ツェナーダイオード及び並列接続された複数のコンデンサによりＡＣ２４Ｖから制御用作動電源Ｖｃｃを生成する。直流電源供給回路５により生成されたパルスモータ用電源Ｖｍはパルスモータ駆動回路９に供給され、制御用作動電源Ｖｃｃは、発振回路７、分周回路８、タッチ入力検出回路６、パルスモータ駆動回路９に供給され、各制御回路に含まれるＩＣ等の作動電源となる。
【００１６】
発振回路７は、水晶発振子にそれぞれ並列接続された抵抗、インバータと、水晶発振子にそれぞれ直列接続されたコンデンサとを含み、所定の周波数を出力する。分周回路８は、フリップフロップにより構成され、発振回路７からの発振パルスを分周し、タッチ信号検出用の基準クロック信号Ｓ１をタッチ入力検出回路６に出力すると共に、パルスモータ駆動制御用の基本クロック信号Ｓ２をパルスモータ駆動回路９に出力する。
【００１７】
第４コネクタＣＮ４の２番端子には、タッチ入力を行うためのタッチ端子１０が接続されている。なお、タッチ端子１０は、従来と同様に打球ハンドルに配備されている。タッチ入力検出回路６のタッチ信号入力ライン１１は、保護抵抗Ｒ１を介して第４コネクタＣＮ４の１番端子及び２番端子に接続されている。また、第５コネクタＣＮ５の１番端子は、タッチ入力検出回路６のタッチ入力ライン１１の抵抗Ｒ１の前段に接続され、第５コネクタＣＮ５の２番端子は、アースライン１２に接続されている。なお、第５コネクタＣＮ５は、請求項１に記載の第１のコネクタに相当するものである。
【００１８】
第５コネクタＣＮ５には、高電圧保護体１３が着脱可能にコネクタ接続される。図４は、高電圧保護体１３の斜視図である。高電圧保護体１３は、小基板１４、接続コネクタ１５、高電圧が印加されると放電可能な絶縁部分を備えたマイクロギャップ１６とにより構成されており、小基板１４には、互いに絶縁された２つの導電部がプリント配線され、接続コネクタ１５は、第５コネクタＣＮ５の１番端子及び２番端子に対してそれぞれ着脱可能な両端子１７ａ，１７ｂを有する。なお、接続コネクタ１５は、請求項１に記載の第２のコネクタに相当するものである。マイクロギャップ１６は、ガスを封入したケース１８内に微小幅（絶縁部分）を以て２つ電極が対向されており、２つの電極にそれぞれ接続した接続ピン１９，１９がケース１８の外に引き出されてなるものである。
【００１９】
高電圧保護体１３は、小基板１４の互いに絶縁された２つの導電部に対して、接続コネクタ１５の両端子１７ａ，１７ｂの基端部がそれぞれ半田づけにより電気的に接続されると共に、マイクロギャップ１６のケース１８の外に引き出された２つの接続ピン１９，１９の各先端が２つの導電部に対してそれぞれ半田づけにより電気的に接続されてなる。即ち、高電圧保護体１３は、マイクロギャップ１６の絶縁部分で接続コネクタ１５の両端子１７ａ，１７ｂ間が絶縁された状態となっている。
【００２０】
また、接続コネクタ１５の両端子１７ａ，１７ｂ間に高電圧が印加された場合には、例えば、接続コネクタ１５の両端子１７ａ，１７ｂ間の電位差が３００Ｖ程度に達した場合、マイクロギャップ１６のケース１８の内に微小幅（絶縁部分）を以て対向されている２つ電極間で自然放電し、瞬時的に導通状態となる。
【００２１】
図２において、タッチ入力検出回路６は、第４コネクタＣＮ４の２番端子を介したタッチ入力信号（オン／オフ）と、分周回路８から供給されるタッチ検出用のクロック信号Ｓ１とにより、タッチ検出信号（オン／オフ）を生成を行い、タッチ検出信号をパルスモータ駆動回路９に供給する。
【００２２】
パルスモータ駆動回路９は、分周回路８から供給される基本クロック信号Ｓ２と、タッチ検出信号とに基づいて発射モータ（パルスモータ）の各励磁相φ１〜φ４を励磁するための４つの励磁信号を生成すると共に、４つの励磁信号によってパルスモータ用電源Ｖｍからの発射モータ（パルスモータ）の各励磁相φ１〜φ４に対して励磁電流を所定周期毎に循環的に切り換えて発射モータを駆動する。
【００２３】
次に、発射装置制御回路４の動作について説明する。人体が打球ハンドルに接触していない状態では、タッチ端子１０からの入力はなく、第４コネクタＣＮ４の２番端子を介するタッチ信号入力ライン１１に信号入力がなく、この場合にはタッチ入力検出回路６から出力されるタッチ検出信号がハイレベル状態となる。また、パルスモータ駆動回路９は、タッチ入力検出回路６から出力されたタッチ検出信号（ハイレベル）によりリセットされるため、分周回路８から供給される基本クロック信号Ｓ２に基づく励磁信号の生成は行われていない。
【００２４】
人体が打球ハンドルに接触すると、第４コネクタＣＮ４の２番端子を介するタッチ信号入力ライン１１から抵抗Ｒ１を介して人体が有する静電容量に基づく静電気（タッチ信号）がタッチ入力検出回路６に入力され、タッチ入力検出回路６は、分周回路８から供給される基本クロック信号Ｓ１とタッチ信号とによりタッチ検出信号をローレベル状態に維持する。パルスモータ駆動回路９は、タッチ入力検出回路６から出力されたタッチ検出信号（ローレベル）によりリセット状態が解除され、分周回路８から供給される基本クロック信号Ｓ２に基づいて４つの励磁信号を生成し、４つの励磁信号によってパルスモータ用電源Ｖｍからの発射モータ（パルスモータ）の各励磁相φ１〜φ４に対して励磁電流を所定周期毎に循環的に切り換えて発射モータを駆動する。
【００２５】
人体が有する静電容量に基づく静電気が第４コネクタＣＮ４の２番端子を介するタッチ信号入力ライン１１に入力された場合には、タッチ信号入力ライン１１に接続されている第５コネクタＣＮ５の１番端子の電圧が上昇する。このため、第５コネクタＣＮ５の１番端子と接続コネクタ１５の一方の端子１７ａを介して接続されている高電圧保護体１３のマイクロギャップ１６の一方の電極の電位が上昇する。
【００２６】
一方、第５コネクタＣＮ５の２番端子は接地されており、第５コネクタＣＮ５の２番端子と接続コネクタ１５の他方の端子１７ｂを介して接続されている高電圧保護体１３のマイクロギャップ１６の他方の電極が接地と同じレベルに維持されている。
【００２７】
従って、マイクロギャップ１６のケース１８の内に微小幅（絶縁部分）を以て対向されている２つ電極間で１つのコンデンサを形成し、静電荷を蓄える。なお、保護抵抗Ｒ１が後段のタッチ入力検出回路６に対して高電圧の作用を阻止する。
【００２８】
人体が有する静電容量に基づく静電気が高電圧である場合には、マイクロギャップ１６の一方の電極の電位が高電位となるので、一方の電極に蓄えられていた静電荷が他方の電極に向けて微小幅を飛び越えて自然放電し、第５コネクタＣＮ５の１番端子と２番端子とが瞬時的に導通状態となり、第４コネクタＣＮ４の２番端子から接地に高電圧による静電気を流し、タッチ入力検出回路６のタッチ信号入力ライン１１に印加された高電圧を除去する。
【００２９】
なお、図２において、モータスイッチＳＷ１及び発射装置停止スイッチＳＷ２を閉路して第１コネクタＣＮ１の２番端子と第２コネクタＣＮ２の２番端子との間を短絡することにより、発射装置駆動用のパルスモータ用電源をオフすることができる。すなわち、第１コネクタＣＮ１の２番端子と第２コネクタＣＮ２の２番端子との間を短絡してツェナーＺＮＲの両端間に電圧２４Ｖを印加することによりツェナーＺＮＲを導通状態とし、直流電源供給回路へのＡＣ２４Ｖの供給を停止して発射装置駆動用のパルスモータ用電源Ｖｍをオフする。
【００３０】
次に、端子板３について説明する。図１及び図３に示すように、端子板３は、枠制御基板２０とコネクタ接続された第１コネクタＣＮ１１、トップランプ基板２１とコネクタ接続された第２コネクタＣＮ１２、ランプ基板２２とコネクタ接続された第３コネクタＣＮ１３、主制御基板２３とコネクタ接続された第４コネクタＣＮ１４、補給切れスイッチ基板２４とコネクタ接続された第５コネクタＣＮ１５、第１静電防止器２５とコネクタ接続された第６コネクタＣＮ１６、ＳＴ枠中継基板２６とコネクタ接続された第７コネクタＣＮ１７、図４に示す高電圧保護体１３が着脱可能にコネクタ接続される第８コネクタＣＮ１８、外部のＡＣ２４Ｖ電源入力用の電源入力コネクタＩＮＣ、主制御基板へＡＣ２４Ｖ電源を出力するための電源出力用コネクタＯＵＴＣ及び遊技場内に設置されている集中管理装置（図示せず）と接続するための外部接続端子ＧＮ１〜ＧＮ６を備えている。
【００３１】
図３において、外部接続端子ＧＮ１からは、第１コネクタＣＮ１１の８番端子及び９番端子を経由して枠制御基板２０からの球貸し情報が出力される。外部接続端子ＧＮ２からは、第１コネクタＣＮ１１の６番端子及び７番端子を経由して枠制御基板２０からの賞球情報が出力される。外部接続端子ＧＮ３からは、第４コネクタＣＮ１４の１番端子及び２番端子を経由して主制御基板２３からの大当り情報及びランプ電源が出力される。外部接続端子ＧＮ４からは、第１コネクタＣＮ１１の４番端子及び５番端子を経由して枠制御基板２０からの扉開放情報及び枠ランプ電源が出力される。
【００３２】
外部接続端子ＧＮ５からは、第１コネクタＣＮ１１の４番端子を経由して枠制御基板２０からの枠ランプ電源が出力される一方、集中管理装置からの発射装置制御信号が入力され、第１コネクタＣＮ１１の３番端子を経由して枠制御基板２０に出力される。外部接続端子ＧＮ６からは、第５コネクタＣＮ１５の４番端子及び５番端子を経由して補給切れスイッチ基板２４からの球切れ情報が出力される。
【００３３】
また、外部電源から供給された電源入力コネクタＩＮＣからのＡＣ２４Ｖ電源は複数に分岐され、電源出力用コネクタＯＵＴＣを経由して主制御基板２３に供給され、第１コネクタＣＮ１１の１番端子及び２番端子を経由して枠制御基板２０に供給され、第３コネクタＣＮ１３の４番端子を経由してランプ基板２２に供給され、第５コネクタＣＮ１５の４番端子を経由して補給切れスイッチ基板２４に供給される。
【００３４】
電源入力コネクタＩＮＣからのＡＣ２４Ｖ電源ライン２８は、アースラインを兼ねるものであり、このアースライン２８の一端が第８コネクタの２番端子と接続されている。一方、第８コネクタの１番端子には、端子板３における静電気入力ライン２７の一端側が接続されており、静電気入力ライン２７の他端側はそれぞれ第５コネクタＣＮ１５の１番端子と第６コネクタＣＮ１６の１番端子及び第７コネクタＣＮ１７の１番端子に接続されている。
【００３５】
第６コネクタＣＮ１６の１番端子には、第１静電防止器２５がコネクタ接続される。第１静電防止器２５は、従来と同様、例えば、特開平６−１５４４０８号に開示されているように、遊技機裏面の上部に設けられたパチンコ球を貯留する球タンク内に配設されるものである。
【００３６】
また、第５コネクタＣＮ１５の１番端子には、第２静電防止器２９がコネクタ接続される。第２静電防止器２９は、例えば、特開平６−２５４２４１号に開示されている賞球払出し装置における２条の球誘導路間に配設された導電板により構成されるものであり、導電板に接続されたアース線の端部がコネクタを介して第５コネクタＣＮ１５の１番端子に接続される。第７コネクタＣＮ１７の１番端子には、ＳＴ枠中継基板２６のアースラインがコネクタ接続される。
【００３７】
図３に示す高電圧侵入防止装置１の作用を説明する。遊技機裏面の上部に設けられた球タンク内に貯留された多数のパチンコ球に帯電した静電気は、第１静電防止器２５に接触することで第６コネクタＣＮ１６の１番端子を経由して静電気入力ライン２７に導かれる。
【００３８】
また、賞球払出し装置内の２条の球誘導路に整列されたパチンコ球に帯電した静電気は、第２静電防止器２９に接触することで、補給切れスイッチ基板２４のコネクタ端子（図示せず）、第５コネクタＣＮ１５の１番端子を経由して静電気入力ライン２７に導かれる。
【００３９】
静電気入力ライン２７に導かれた静電気は、第８コネクタＣＮ１８の１番端子を経由して第８コネクタＣＮ１８にコネクタ接続されている高電圧保護体１３のマイクロギャップ１６に、前述と同様の理由により蓄えられる。そして、静電気入力ライン２７に接続されているマイクロギャップ１６の一方の電極の電位が高電位となると、一方の電極に蓄えられていた静電荷が、第８コネクタＣＮ１８の２番端子を介してアースライン２８と接続されている他方の電極に向けて微小幅を飛び越えて自然放電し、第８コネクタＣＮ１８の１番端子と２番端子とが瞬時的に導通状態となり、マイクロギャップ１６に蓄えられた静電気をＡＣ２４Ｖ電源のアースライン２８に流し、球タンク内や賞球払出し装置内のパチンコ球に帯電している静電気による高電圧を除去する。
【００４０】
高電圧保護体１３の放電による高電圧防止機能が劣化した場合には、高電圧保護体１３を発射装置制御基板２の第５コネクタＣＮ５や端子板３の第８コネクタＣＮ１８から取り外し、新規なものと交換するだけでよく、回路基板全体を交換する必要がない。
【００４１】
また、後述に例示したように、補給切れスイッチ基板２４に導いた静電気を端子板３側に導き、端子板３においてアースライン２８に流すよう構成することができ、このようにすれば、各種基板毎に高電圧保護体１３を設けなくとも、各種回路基板で兼用することができ、コストを低減できる。
【００４２】
【発明の効果】
請求項１に係るパチンコ機によれば、高電圧保護体の防止機能が劣化により低下した場合に、高電圧保護体のみを第１のコネクタ及び第２のコネクタを介してタッチ信号入力ラインとアースラインとの間に対して脱着交換できるから交換も容易に行え、基板自体を交換しなくてすむ。
【図面の簡単な説明】
【図１】本発明の高電圧侵入防止装置を適用した一実施形態におけるパチンコ機の電気系統を示す回路ブロック図
【図２】同上のパチンコ機に配備された発射装置制御基板に配備された発射装置制御回路の要部ブロック図
【図３】同上のパチンコ機に配備された端子板に配備された配線を示す回路図
【図４】同上の高電圧保護体の斜視図
【符号の説明】
１  高電圧侵入防止装置
２  発射装置制御基板
３  端子板
４  発射装置制御回路
５  直流電源供給回路
６  タッチ入力検出回路
７  発振回路
８  分周回路
９  パルスモータ駆動回路
１０  タッチ端子
１１  タッチ信号入力ライン
１２  アースライン
１３  高電圧保護体
１４  小基板
１５  接続コネクタ
１６  マイクロギャップ
１７  端子
１８  ケース
１９  接続ピン
２０  枠制御基板
２１  トップランプ基板
２２  ランプ基板
２３  主制御基板
２４  補給切れスイッチ基板
２５  第１静電防止器
２６  ＳＴ枠中継基板
２７  静電気入力ライン
２８  アースライン
２９  第２静電防止器
ＳＷ１  モータスイッチ
ＳＷ２  発射装置停止スイッチ
ＺＮＲ  ツェナー
Ｒ１  保護抵抗
ＣＮ１  第１コネクタ
ＣＮ２  第２コネクタ
ＣＮ３  第３コネクタ
ＣＮ４  第４コネクタ
ＣＮ５  第５コネクタ
ＣＮ１１  第１コネクタ
ＣＮ１２  第２コネクタ
ＣＮ１３  第３コネクタ
ＣＮ１４  第４コネクタ
ＣＮ１５  第５コネクタ
ＣＮ１６  第６コネクタ
ＣＮ１７  第７コネクタ
ＣＮ１８  第８コネクタ
ＩＮＣ  電源入力用コネクタ
ＯＵＴＣ  電源出力用コネクタ
ＧＮ１  外部接続端子
ＧＮ２  外部接続端子
ＧＮ３  外部接続端子
ＧＮ４  外部接続端子
ＧＮ５  外部接続端子
ＧＮ６  外部接続端子
【図１】
0003890485.tif 000002
【図２】
0003890485.tif 000003
【図３】
0003890485.tif 000004
【図４】
0003890485.tif 000005